(57)【要約】【課題】板部材の厚みを大きくせずに板部材が収納体に干渉することを抑制することが可能となる投写型映像表示装置を提供する。【解決手段】プロジェクタは、映像の光を遮断可能なシャッタ装置３を備える。シャッタ装置３は、板部材３３と、板部材３３を収納する収納体３１と、板部材３３を移動させる駆動機構とを備え、板部材３３は、映像の光を遮断する光遮断位置と、収納体３１に収納される非遮断位置に変位する。板部材３３は、板部材３３が光遮断位置に設けられたときに、映像の光が照射される照射部４を有し、照射部４の中央部４ａには、板部材３３の厚み方向に板部材３３を突出させた突出部４１が設けられている。【選択図】図２
2012128283.tif 000002
【特許請求の範囲】
【請求項１】
映像の光を遮断可能な光遮断装置を備える投写型映像表示装置において、
前記光遮断装置は、板部材と、この板部材を収納する収納体と、前記板部材を移動させる駆動機構とを備え、前記板部材は、映像の光を遮断する光遮断位置と、前記収納体に収納される非遮断位置に変位し、
前記板部材は、同板部材が前記光遮断位置に設けられたときに、映像の光が照射される照射部を有し、
前記照射部の中央部には、前記板部材の厚み方向に同板部材を突出させた突出部が設けられている
ことを特徴とする投写型映像表示装置。
【請求項２】
前記突出部は、前記板部材の厚み方向から見て一点を中心にして放射状に形成されている
ことを特徴とする請求項１に記載の投写型映像表示装置。
【請求項３】
放射状に形成されている前記突出部は、前記板部材の厚み方向から見て円形である
ことを特徴とする請求項２に記載の投写型映像表示装置。
【請求項４】
映像の光を投射する投射レンズを備え、
前記板部材と前記投射レンズは対向して設けられ、
前記突出部は、前記投射レンズから遠ざかる方向に突出している
ことを特徴とする請求項１〜３のいずれか一項に記載の投写型映像表示装置。
【請求項５】
前記板部材は、前記突出部が突出する方向を向く突出側表面と、この突出側表面の反対側の表面である非突出側表面とを有し、
前記収納体は、前記板部材が前記非遮断位置に移動するときに、前記突出側表面に対向する内面である突出側内面と、前記非突出側表面に対向する内面である非突出側内面とを有し、
互いに対向する前記非突出側表面と前記非突出側内面の最短の間隔に比べて、互いに対向する前記突出側表面と前記突出側内面の最短の間隔が大きい
ことを特徴とする請求項１〜４のいずれか一項に記載の投写型映像表示装置。
【請求項６】
前記板部材は、前記突出部が突出する方向を向く突出側表面を有し、
前記収納体は、前記板部材が前記非遮断位置に移動するときに、前記突出側表面における前記突出部に対向する内面である突出側内面と、前記突出側表面における前記突出部を除く部位に対向する内面である周縁部内面とを有し、
前記周縁部内面は、前記突出側内面よりも前記突出側表面の近くに設けられている
ことを特徴とする請求項１〜５のいずれか一項に記載の投写型映像表示装置。
【発明の詳細な説明】
【技術分野】
【０００１】
本願発明は、映像の光を遮断可能な光遮断装置を備える投写型映像表示装置に関する。
【背景技術】
【０００２】
スクリーン等の平面に光を投射して映像を表示する投写型映像表示装置において、光源であるランプが光を発している様態を維持しながら光を投射させないようにするため、光遮断装置により光を遮断することが知られている（例えば特許文献１及び２参照）。
【０００３】
特許文献１及び２には、機器本体に形成された開口部を閉じるための板部材である扉を備えるシャッタ装置が記載されている。特許文献１及び２のシャッタ装置においては、扉が設置台とカバー部材との隙間を移動するように構成されている。即ち、扉を収納する収納体が、設置台とカバー部材とにより構成されている。
【先行技術文献】
【特許文献】
【０００４】
【特許文献１】特開２０１０−６１０５２号公報
【特許文献２】特開２０１０−６６４１９号公報
【発明の概要】
【発明が解決しようとする課題】
【０００５】
ところで、光を遮断する板部材の温度は、光が照射されることにより上昇する。一般的な光源であるランプが発した光を板部材で受けたときには、照度分布が均一でないため、板部材の部位において温度差が生じる。即ち、例えば、板部材の中央部における温度と、板部材の周縁部における温度が異なる。板部材の中央部と周縁部とにおいて温度差が生じた場合には、板部材の中央部における熱膨張の度合いが、板部材の周縁部における熱膨張の度合いに比べて大きいため、板部材は反るように熱変形する。
【０００６】
熱変形した板部材が移動するときには、板部材が、板部材を収納する収納体に干渉するおそれがある。即ち、映像の光を遮断する光遮断位置に設けられている板部材が、収納体に収納される非遮断位置に移動する際に、板部材に干渉するというおそれがある。非遮断位置への移動時に板部材が収納体に干渉すると、非遮断位置に板部材を移動させるために大きな動力が必要になるという不都合や、非遮断位置に板部材を移動させることができないという不都合がある。
【０００７】
板部材の厚みを大きくすれば、板部材の熱変形を低減することが可能であるものの、板部材が重くなって、板部材の移動に必要とされる動力が大きくなる。このため、例えば、駆動源として高トルクの電気モータが必要になったり、駆動力を伝達するためのギヤ比を大きくするために大きなギヤが必要になったりするため、光遮断装置の大型化及び製造コスト増加という不都合が発生する。
【０００８】
本発明は、こうした実情に鑑みてなされたものであり、その目的は、板部材の厚みを大きくせずに板部材が収納体に干渉することを抑制することが可能となる投写型映像表示装置を提供することにある。
【課題を解決するための手段】
【０００９】
以下、上記目的を達成するための手段及びその作用効果について記載する。
請求項１に記載の発明は、映像の光を遮断可能な光遮断装置を備える投写型映像表示装置において、前記光遮断装置は、板部材と、この板部材を収納する収納体と、前記板部材を移動させる駆動機構とを備え、前記板部材は、映像の光を遮断する光遮断位置と、前記収納体に収納される非遮断位置に変位し、前記板部材は、同板部材が前記光遮断位置に設けられたときに、映像の光が照射される照射部を有し、前記照射部の中央部には、前記板部材の厚み方向に同板部材を突出させた突出部が設けられていることを特徴とする。
【００１０】
上記構成によれば、映像の光が照射される照射部の中央部には、板部材の厚み方向に同板部材を突出させた突出部が設けられている。このため、板部材の曲げ剛性が大きくなり、板部材の熱変形が抑制される。そして、突出部が設けられた照射部に光が照射されると、板部材の照射部は、突出部が突出する方向に向けて膨らむように変形する。即ち、熱変形に起因して板部材は一定の方向に膨らむ。よって、突出部が突出しない方向において板部材と収納体との間隔が小さくても、突出部が突出する方向において板部材と収納体との間隔が確保されていれば、熱変形した板部材が非遮断位置に変位するときに、板部材が収納体に干渉することを抑制することができる。よって、板部材の厚みを大きくせずに板部材が収納体に干渉することを抑制することが可能となる。
【００１１】
請求項２に記載の発明は、請求項１に記載の投写型映像表示装置において、前記突出部は、前記板部材の厚み方向から見て一点を中心にして放射状に形成されていることを特徴とする。
【００１２】
一般的な光源であるランプが発した光を板部材の照射部で受けたときには、光の照度は照射部の中央部から周縁部に向かうにつれて小さくなる。上記構成によれば、突出部は、板部材の厚み方向から見て、一点を中心にして放射状に形成されているため、熱変形に起因して板部材が膨らむ方向を、確実に一定の方向とすることができる。
【００１３】
請求項３に記載の発明は、請求項２に記載の投写型映像表示装置において、放射状に形成されている前記突出部は、前記板部材の厚み方向から見て円形であることを特徴とする。上記構成によれば、突出部は、板部材の厚み方向から見て円形であるため、熱変形に起因して板部材が膨らむ方向を、より確実に一定の方向とすることができる。
【００１４】
請求項４に記載の発明は、請求項１〜３のいずれか一項に記載の投写型映像表示装置において、映像の光を投射する投射レンズを備え、前記板部材と前記投射レンズは対向して設けられ、前記突出部は、前記投射レンズから遠ざかる方向に突出していることを特徴とする。
【００１５】
上記構成によれば、投射レンズに対向して設けられる板部材の突出部は、投射レンズから遠ざかる方向に突出している。このため、投射レンズのレンズ曲面が板部材に向けて突出する凸形状をなしていても、板部材が投射レンズに接触することを抑制することができる。
【００１６】
請求項５に記載の発明は、請求項１〜４のいずれか一項に記載の投写型映像表示装置において、前記板部材は、前記突出部が突出する方向を向く突出側表面と、この突出側表面の反対側の表面である非突出側表面とを有し、前記収納体は、前記板部材が前記非遮断位置に移動するときに、前記突出側表面に対向する内面である突出側内面と、前記非突出側表面に対向する内面である非突出側内面とを有し、互いに対向する前記非突出側表面と前記非突出側内面の最短の間隔に比べて、互いに対向する前記突出側表面と前記突出側内面の最短の間隔が大きいことを特徴とする。
【００１７】
板部材の突出側表面と収納体の突出側内面の最短の間隔が大きければ、熱変形した板部材が収納体に干渉することを抑制し易い。また、板部材の非突出側表面と収納体の非突出側内面の最短の間隔が小さければ、収納体の小型化を図ることができる。従って、上記構成によれば、板部材が収納体に干渉することを抑制し、かつ、光遮断装置の小型化を図ることができる。
【００１８】
請求項６に記載の発明は、請求項１〜５のいずれか一項に記載の投写型映像表示装置において、前記板部材は、前記突出部が突出する方向を向く突出側表面を有し、前記収納体は、前記板部材が前記非遮断位置に移動するときに、前記突出側表面における前記突出部に対向する内面である突出側内面と、前記突出側表面における前記突出部を除く部位に対向する内面である周縁部内面とを有し、前記周縁部内面は、前記突出側内面よりも前記突出側表面の近くに設けられていることを特徴とする。
【００１９】
上記構成によれば、収納体の周縁部内面は、収納体の突出側内面よりも板部材の突出側表面の近くに設けられている。このため、周縁部内面と突出側内面とが１つの平面により構成されている場合に比べて、板部材が収納体に干渉することを抑制しながら、板部材の突出側表面と周縁部内面との間隔を小さくすることができ、収納体の小型化を図ることができる。
【発明の効果】
【００２０】
本発明によれば、板部材の厚みを大きくせずに板部材が収納体に干渉することを抑制することが可能となる。
【図面の簡単な説明】
【００２１】
【図１】本発明の一実施形態に係る投写型映像表示装置の概略構成図。
【図２】（ａ）（ｂ）同実施形態の投写型映像表示装置が備える光遮断装置の斜視図。
【図３】同実施形態の光遮断装置が備える板部材の正面図。
【図４】同実施形態の光遮断装置が備える板部材について、（ａ）は板部材の側面図、（ｂ）は板部材の断面を拡大した拡大断面図。
【図５】同実施形態の光遮断装置の断面構造を模式的に示す模式断面図。
【図６】同実施形態の光遮断装置が備える駆動機構を模式的に示す模式図。
【図７】（ａ）（ｂ）同実施形態の投写型映像表示装置が備える光遮断装置の斜視図。
【図８】（ａ）は同実施形態の光遮断装置の断面構造を模式的に示す模式断面図、（ｂ）は同模式断面図の一部分を拡大した拡大図。
【図９】（ａ）は同実施形態の光遮断装置の断面構造を模式的に示す模式断面図、（ｂ）は、（ａ）の一部を模式的に示す模式断面図。
【図１０】本発明の変形例に係る板部材の正面図。
【図１１】本発明の他の変形例に係る板部材の正面図。
【発明を実施するための形態】
【００２２】
以下、本発明の一実施形態について図面を参照しながら説明する。なお、以下の説明において、上方及び下方を含む上下方向は、図中の矢印Ｚが示す方向であって、上下方向は鉛直方向に限定されない。また、前方及び後方を含む前後方向は、図中の矢印Ｘが示す方向である。また、右方及び左方を含む左右方向は、図中において矢印Ｙが示す方向である。直線方向である上下方向及び前後方向及び左右方向は、互いに直交する方向である。
【００２３】
図１に示すように、プロジェクタ１の筐体１０内には、映像を表示するため光学系として、白色光を発する光源部２Ａと、白色光から三原色の光を分離する光分離部２Ｂと、三原色の光を用いて映像を生成する映像生成部２Ｃと、三原色の光を合成する光合成部２Ｄと、合成された光を投射する投射レンズ２Ｅとが設けられている。
【００２４】
光源部２Ａは、光源である放電ランプ２１と、放電ランプ２１が発した白色光の照度分布を均一化するインテグレータレンズ２２と、光の偏光成分を揃える偏光変換素子２３と、液晶パネル２７Ｒ，２７Ｇ，２７Ｂの各々に光を集光させる集光レンズ２４とを備えている。放電ランプ２１が発した光は、一対のレンズアレイ２２Ａ，２２Ｂからなるインテグレータレンズ２２と、偏光変換素子２３と、集光レンズ２４とを通過して、光分離部２Ｂに入射する。
【００２５】
光分離部２Ｂは、赤色の光を分離するダイクロイックミラー２５Ｒと、青色の光を分離するダイクロイックミラー２５Ｂと、液晶パネル２７Ｒに赤色の光を導く全反射ミラー２６Ｒと、液晶パネル２７Ｂに青色の光を導く全反射ミラー２６Ｂとを備えている。光源部２Ａの放電ランプ２１が発した白色光は、ダイクロイックミラー２５Ｒ，２５Ｂにより、赤色及び緑色及び青色の光に分離される。分離された赤色の光は液晶パネル２７Ｒに入射する。また、分離された緑色の光は液晶パネル２７Ｇに入射する。また、分離された青色の光は液晶パネル２７Ｂに入射する。
【００２６】
映像生成部２Ｃは、液晶ライトバルブである液晶パネル２７Ｒ，２７Ｇ，２７Ｂにより構成されている。液晶パネル２７Ｒ，２７Ｇ，２７Ｂは、映像を構成する画素毎に光の透過率が変更可能なライトバルブである。液晶パネル２７Ｒに入射した赤色の光が、液晶パネル２７Ｒを透過することによって映像を構成する赤色の光が生成される。また、液晶パネル２７Ｇに入射した緑色の光が、液晶パネル２７Ｇを透過することによって映像を構成する緑色の光が生成される。また、液晶パネル２７Ｂに入射した青色の光が、液晶パネル２７Ｂを透過することによって映像を構成する青色の光が生成される。液晶パネル２７Ｒ，２７Ｇ，２７Ｂを透過した各色の光は、光合成部２Ｄに入射する。
【００２７】
光合成部２Ｄは、クロスダイクロイックプリズムにより構成されている。異なる方向から光合成部２Ｄに入射した各色の光は、光合成部２Ｄから同じ方向に向けて出射する。このようにして各色の光が合成される。合成された映像の光は投射レンズ２Ｅに入射する。
【００２８】
投射レンズ２Ｅは、映像の光を投射するレンズ群を有したレンズ装置である。投射レンズ２Ｅは、プロジェクタ１の外部に向けて光を投射する。このようにして、プロジェクタ１から映像の光が出射されて、スクリーンや壁等の平面上に映像が表示される。
【００２９】
以上のように、投写型映像表示装置であるプロジェクタ１は、３つの液晶パネル２７Ｒ，２７Ｇ，２７Ｂを用いて映像を投写して表示する、いわゆる３板方式の液晶プロジェクタである。
【００３０】
また、プロジェクタ１は、放電ランプ２１が光を発している様態を維持しながらプロジェクタ１の外部に向けて映像の光を投射させないようにするために、映像の光を遮断可能な光遮断装置であるシャッタ装置３を備えている。シャッタ装置３は光合成部２Ｄと投射レンズ２Ｅとの間に設けられている。
【００３１】
図２（ａ）及び（ｂ）は、シャッタ装置３の斜視図であって、シャッタ装置３が光合成部２Ｄから出射された光を遮断するときにおけるシャッタ装置３の態様を示している。
図２（ａ）に示すように、シャッタ装置３は、金属板からなる第１基材３１Ａと、第１基材３１Ａの前側表面上に設けられる電気モータ３２と、電気モータ３２を駆動源として移動する板部材３３と、電気モータ３２等を覆うカバー部材３４とを備えている。
【００３２】
第１基材３１Ａの下側部位には、矩形状の開口３１ａが形成されている。シャッタ装置３は、光合成部２Ｄから出射された光が、開口３１ａを通過するように設けられる。このように、開口３１ａを覆うように板部材３３が設けられている場合には、板部材３３により光が遮断される。
【００３３】
電気モータ３２は、プロジェクタ１が備えるモータ駆動用電源部（図示略）から供給される電力により、板部材３３を移動させるための動力を発生させる。なお、図中において、電気モータ３２とモータ駆動用電源部（図示略）とを接続する配線の図示は省略されている。
【００３４】
板部材３３は、上下方向に移動可能なステンレス等の金属板からなる扉である。板部材３３は、第１基材３１Ａの後方に設けられている。図２中の板部材３３は、開口３１ａを覆う位置、即ち映像の光を遮断する位置である光遮断位置に設けられている。
【００３５】
カバー部材３４は、樹脂材料からなる成形体である。カバー部材３４は、ねじ９１を用いて第１基材３１Ａに固定されている。また、カバー部材３４には、上下方向に貫通した貫通孔９２が形成されている。この貫通孔９２に挿通させたねじ（不図示）を用いて、プロジェクタ１の内部構造体（図示略）にシャッタ装置３が固定される。
【００３６】
また、図２（ｂ）に示すように、シャッタ装置３は、金属板からなる第２基材３１Ｂを備えている。第２基材３１Ｂは、板部材３３の後方に設けられている。即ち、第１基材３１Ａと第２基材３１Ｂとの間に挟まれるように板部材３３が設けられている。従って、第１基材３１Ａと第２基材３１Ｂは、板部材３３を収納する収納体３１を構成している。
【００３７】
第２基材３１Ｂの下側部位には、第１基材３１Ａと同様に、矩形状の開口３１ｂが形成されている。第１基材３１Ａの開口３１ａと第２基材３１Ｂの開口３１ｂは、前後方向において重ねられるため、開口３１ａを通過した光は開口３１ｂを通過する。第２基材３１Ｂは、ねじ９３を用いて第１基材３１Ａに固定されている。
【００３８】
図３及び図４を参照して、板部材３３の構造を説明する。図３は、図２に示す板部材３３のみを示す図であって、前方から板部材３３を見た状態を示している。また、図４（ａ）は、図３に示す板部材３３を右方から見た図である。また、図４（ｂ）は、板部材３３の一部断面を拡大して模式的に示した模式図であって、図３のＡ−Ａ線断面図を模式的に示した図である。
【００３９】
図３に示すように、板部材３３は、板部材３３が光遮断位置に設けられたときに、光合成部２Ｄから出射された映像の光が照射される照射部４を有している。開口３１ａと同様に、照射部４は矩形状である。
【００４０】
照射部４の中央部４ａには、板部材３３の厚み方向である前後方向に板部材３３を突出させた突出部４１が設けられている。このような板部材３３は、プレス加工または絞り加工により形成することができる。本実施形態においては、突出部４１は前方に向けて突出している。
【００４１】
突出部４１は、前方から見て一点を中心にして放射状かつ円形状に形成されている。円錐台状の突出部４１は、円錐台の側面をなす傾斜面４１ａと、傾斜面４１ａから屈曲している円形状の平面４１ｂとを有している。傾斜面４１ａは上下方向及び左右方向を含む平面に対して傾いている。また、平面４１ｂは前後方向に垂直な方向に対して平行である。
【００４２】
図４に示すように、板部材３３は、突出部４１が突出する方向（即ち、前方）を向く突出側表面３３ａと、突出側表面３３ａの反対側の表面である非突出側表面３３ｂとを有している。突出部４１の表面は、突出側表面３３ａの一部を構成している。従って、照射部４の中央部４ａにおける突出側表面３３ａは、照射部４の周縁部４ｂにおける突出側表面３３ａに比べて、前方に膨らんでいる。
【００４３】
光遮断位置に設けられた板部材３３の前方に、光合成部２Ｄが設けられ、板部材３３の後方に投射レンズ２Ｅが設けられる。従って、板部材３３の前側表面である突出側表面３３ａは、光合成部２Ｄを構成するクロスダイクロイックプリズムに対向する。また、板部材３３の後側表面である非突出側表面３３ｂは、投射レンズ２Ｅに対向する。従って、突出部４１は、投射レンズ２Ｅから遠ざかる方向に突出している。
【００４４】
また、プレス加工または絞り加工により突出部４１が設けられた板部材３３は、板部材３３の厚みが略一定であるため、換言すれば、前方に陥没する陥没部４２が設けられた板部材３３である。陥没部４２の表面は、非突出側表面３３ｂの一部を構成する。従って、照射部４の中央部４ａにおける非突出側表面３３ｂは、照射部４の周縁部４ｂにおける非突出側表面３３ｂに比べて、前方に窪んでいる。
【００４５】
図５を参照して、収納体３１の内部構造を説明する。図５は、左右方向に垂直なシャッタ装置３の断面であって、第１基材３１Ａ及び第２基材３１Ｂ及び板部材３３以外の部品の図示は省略されている。
【００４６】
図５に示すように、第１基材３１Ａの上側部位と、第２基材３１Ｂの上側部位との間には、板部材３３を収納するための空間Ｓが設けられている。板部材３３は上方に移動することにより収納体３１内の空間Ｓに収納される。収納体３１に板部材３３が収納される位置は映像の光を遮断しない非遮断位置である。収納体３１は、板部材３３が非遮断位置に移動するときに、突出側表面３３ａに対向する内面である突出側内面３１ｃと、非突出側表面３３ｂに対向する内面である非突出側内面３１ｄとを有している。突出側内面３１ｃは、板部材３３が非遮断位置に移動するときに、突出側表面３３ａにおける突出部４１に対向する。突出側内面３１ｃは第１基材３１Ａの後側表面であって、非突出側内面３１ｄは第２基材３１Ｂの前側表面である。
【００４７】
図６を参照して、板部材３３を移動させる駆動機構５を説明する。図６は、シャッタ装置３を前方から見た図であって、第１基材３１Ａを破線で図示している。また、図６において駆動機構５を覆うカバー部材３４の図示は省略されている。
【００４８】
駆動機構５は、電気モータ３２に設けられたウォーム５１と、ウォーム５１に噛み合うウォームホイール５２と、ウォームホイール５２と噛み合うギヤ５３と、ギヤ５３と噛み合うアーム部材５４とを備えている。
【００４９】
ウォーム５１が回転することによりウォームホイール５２が回転するとともに、２段ギヤであるウォームホイール５２が回転することによりギヤ５３が回転する。そして、２段ギヤであるギヤ５３が回転することにより、左右方向に延びるアーム部材５４が、回転軸Ｒを中心にして、図中の矢印Ｍ１で示すように上下方向に回転する。
【００５０】
アーム部材５４には、板部材３３に対して回動可能に固定された軸部材５５を支持する軸支持孔５４ａが形成されている。軸支持孔５４ａはアーム部材５４の長手方向に沿って延びている長孔である。アーム部材５４が図中の矢印Ｍ１で示すように回転すると、板部材３３が、図中の矢印Ｍ２で示すように上下方向に平行移動する。
【００５１】
以上のようにして、電気モータ３２が、板部材３３を映像の光を遮断する光遮断位置と、収納体３１に収納される非遮断位置に移動させる。即ち、電気モータ３２により発生した動力が、駆動機構５を介して板部材３３に伝達され、板部材３３が光遮断位置と非遮断位置に変位可能である。
【００５２】
図７（ａ）及び（ｂ）は、シャッタ装置３の斜視図であって、シャッタ装置３が光合成部２Ｄから出射された光を遮断しないときにおけるシャッタ装置３の態様を示している。
図７中の板部材３３は、開口３１ａを覆わない位置である非遮断位置に設けられている。板部材３３が非遮断位置に設けられることにより、光合成部２Ｄから出射された映像の光が、開口３１ａ，３１ｂを通過して、投射レンズ２Ｅに入射する。
【００５３】
図８及び図９を参照して、板部材３３が収納されているときの収納体３１の内部構造を説明する。図８（ａ）は、図５と同様に、左右方向に垂直なシャッタ装置３の断面であって、第１基材３１Ａ及び第２基材３１Ｂ及び板部材３３以外の部品の図示は省略されている。また、図８（ｂ）は、図８（ａ）の一部拡大図である。
【００５４】
図８（ａ）に示すように、空間Ｓに板部材３３が収納されたときには、板部材３３の下端は、開口３１ａ，３１ｂよりも上方に位置する。また、図８（ｂ）に示すように、互いに対向する非突出側表面３３ｂと非突出側内面３１ｄの最短の間隔Ｄ２に比べて、互いに対向する突出側表面３３ａと突出側内面３１ｃの最短の間隔Ｄ１が大きくなるように構成されている。本実施形態においては、突出側内面３１ｃの下端が後方に向けて延びるため、前後方向において突出側内面３１ｃの下端と突出部４１との間隔が、最短の間隔Ｄ１である。
【００５５】
図９（ａ）は、図７（ａ）のＢ−Ｂ線断面図を模式的に示した図であって、第１基材３１Ａ及び第２基材３１Ｂ及び板部材３３以外の部品の図示は省略されている。また、図９（ｂ）は、図９（ａ）の一部を模式的に示す模式図である。
【００５６】
図９（ａ）に示すように、収納体３１は、板部材３３が非遮断位置に移動するときに、突出側表面３３ａにおける突出部４１を除く部位に対向する内面である周縁部内面３１ｆを有している。即ち、周縁部内面３１ｆは、突出部４１に対向せずに突出側表面３３ａに対向する。周縁部内面３１ｆは第１基材３１Ａの後側表面により構成されている。図９（ｂ）に示すように、周縁部内面３１ｆは、前後方向において照射部４の周縁部４ｂ等に対向するとともに、前後方向において突出側内面３１ｃよりも後方に設けられている。即ち、周縁部内面３１ｆは、突出側内面３１ｃよりも突出側表面３３ａの近くに設けられている。このようにして、板部材３３の突出側表面３３ａと突出側内面３１ｃの最短の間隔Ｄ１に比べて、板部材３３の突出側表面３３ａと周縁部内面３１ｆとの間隔Ｄ３は小さくなっている。
【００５７】
次に、本発明の作用について説明する。
プロジェクタ１が映像を表示するときは、板部材３３は、図７に示す非遮断位置に設けられている。放電ランプ２１が光を発している様態を維持しながらプロジェクタ１に映像を表示させないときに、板部材３３は、非遮断位置から図２に示す光遮断位置に変位する。光遮断位置に設けられた板部材３３により光が遮断されると、投射レンズ２Ｅから映像の光が投射されなくなる。このとき、板部材３３の照射部４に光が照射されているため、板部材３３が熱膨張により変形する。板部材３３は、突出部４１が突出する方向である前方に膨れるように変形する。突出部が設けられていない平面からなる板部材に光が照射されるときには、板部材が膨らむ方向は一定ではない。プロジェクタ１が映像を再度表示するときに、板部材３３は光遮断位置から非遮断位置に変位する。
【００５８】
本実施形態によれば、以下の効果を得ることができる。
（１）板部材３３は、映像の光を遮断する光遮断位置と、収納体３１に収納される非遮断位置に変位し、板部材３３は、板部材３３が光遮断位置に設けられたときに、映像の光が照射される照射部４を有し、照射部４の中央部４ａには、板部材３３の厚み方向に板部材３３を突出させた突出部４１が設けられている。このため、板部材３３の曲げ剛性が大きくなり、板部材３３の熱変形が抑制される。そして、突出部４１が設けられた照射部４に光が照射されると、板部材３３の照射部４は、突出部４１が突出する方向に向けて膨らむように変形する。即ち、熱変形に起因して板部材３３は一定の方向に膨らむ。よって、突出部４１が突出しない方向（即ち、後方）において板部材３３と収納体３１との間隔が小さくても、突出部４１が突出する方向（即ち、前方）において板部材３３と収納体３１との間隔が確保されていれば、熱変形した板部材３３が非遮断位置に変位するときに、板部材３３が収納体３１に干渉することを抑制することができる。よって、板部材３３の熱変形を抑制して、板部材３３の厚みを大きくせずに板部材３３が収納体３１に干渉することを抑制することが可能となる。
【００５９】
（２）突出部４１は、板部材３３の厚み方向（即ち、前方）から見て一点を中心にして放射状に形成されている。一般的な光源である放電ランプ２１が発した光を板部材３３の照射部４で受けたときには、光の照度は照射部４の中央部４ａから周縁部４ｂに向かうにつれて小さくなる。よって、熱変形に起因して板部材３３が膨らむ方向を、確実に一定の方向とすることができる。
【００６０】
（３）放射状に形成されている突出部４１は、板部材３３の厚み方向（前方）から見て円形である。即ち、突出部４１は、板部材３３の厚み方向（即ち、前方）から見て一点を中心にして放射状かつ円形状に形成されている。このため、熱変形に起因して板部材３３が膨らむ方向を、より確実に一定の方向とすることができる。
【００６１】
（４）板部材３３と投射レンズ２Ｅは対向して設けられ、突出部４１は、投射レンズ２Ｅから遠ざかる方向に突出している。このため、投射レンズ２Ｅのレンズ曲面が板部材３３に向けて突出する凸形状をなしていても、板部材３３が投射レンズ２Ｅに接触することを抑制することができる。
【００６２】
（５）互いに対向する非突出側表面３３ｂと非突出側内面３１ｄの最短の間隔Ｄ２に比べて、互いに対向する突出側表面３３ａと突出側内面３１ｃの最短の間隔Ｄ１が大きい。板部材３３の突出側表面３３ａと収納体３１の突出側内面３１ｃの最短の間隔Ｄ１が大きければ、熱変形した板部材３３が収納体３１に干渉することを抑制し易い。また、板部材３３の非突出側表面３３ｂと収納体３１の非突出側内面３１ｄの最短の間隔Ｄ２が小さければ、収納体３１の小型化を図ることができる。従って、板部材３３が収納体３１に干渉することを抑制し、かつ、シャッタ装置３の小型化を図ることができる。
【００６３】
（６）周縁部内面３１ｆは、突出側内面３１ｃよりも突出側表面３３ａの近くに設けられている。このため、周縁部内面３１ｆと突出側内面３１ｃとが１つの平面により構成されている場合に比べて、板部材３３が収納体３１に干渉することを抑制しながら、板部材３３の突出側表面３３ａと周縁部内面３１ｆとの間隔を小さくすることができ、収納体３１の小型化を図ることができる。
【００６４】
なお、本発明は、上記実施形態に限定されるものではなく、本発明の趣旨に基づいて種々の設計変更をすることが可能であり、それらを本発明の範囲から除外するものではない。例えば、上記実施形態を以下のように変更してもよく、以下の変更を組み合わせて実施してもよい。
【００６５】
・シャッタ装置３は電気モータ３２を備えていなくてもよい。即ち、板部材３３が移動可能に構成されていればよく、手動により板部材３３が光遮断位置と非遮断位置に変位する構成であってもよい。
【００６６】
・突出部４１が、投射レンズ２Ｅに向けて突出していてもよい。即ち、照射部４の中央部４ａに、前方または後方のいずれか一方に板部材３３を突出させた突出部４１が設けられていればよい。
【００６７】
・突出部４１が、板部材３３の厚み方向から見て円形でなくてもよい。例えば、図１０に示すように、突出部４１が、板部材３３の厚み方向から見て八角形等の多角形であってもよい。また、例えば図１１に示すように、突出部４１が平面４１ｂを有していない形状であってもよい。
【００６８】
・突出部４１が、板部材３３の厚み方向から見て一点を中心にして放射状に形成されていなくてもよい。即ち、板部材３３の厚み方向に板部材３３が突出しているのであれば、突出部４１の形状は適宜変更してもよい。
【００６９】
・シャッタ装置３は、光合成部２Ｄと投射レンズ２Ｅとの間に配置されなくてもよい。例えば、放電ランプ２１から光合成部２Ｄまでの光の経路上に配置されてもよく、投射レンズ２Ｅの出射側の光の経路上に配置されてもよい。即ち、光源である放電ランプ２１が発した光を遮断することができればシャッタ装置３の配置部位を適宜変更してもよい。但し、光が光分離部２Ｂで分離されて光合成部２Ｄで合成されるまでは光の経路が複数存在することによりシャッタ装置３が複数必要となるため、シャッタ装置３は、光合成部２Ｄと投射レンズ２Ｅとの間の光の経路上、または放電ランプ２１からダイクロイックミラー２５Ｒまでの光の経路上に配置されることが好ましい。
【００７０】
・投写型映像表示装置は、液晶パネルに光を透過させることにより映像を生成するプロジェクタ１に限定されない。本発明を、例えばＤＭＤ（Digital Micromirror Device）を用いて光を選択的に反射させることにより映像を生成するプロジェクタに適用することもできる。
【符号の説明】
【００７１】
１…プロジェクタ（投写型映像表示装置）、２Ａ…光源部、２Ｂ…光分離部、２Ｃ…映像生成部、２Ｄ…光合成部、２Ｅ…投射レンズ、３…シャッタ装置（光遮断装置）、４…照射部、４ａ…中央部、４ｂ…周縁部、５…駆動機構、３１…収納体、３１ａ，３１ｂ…開口、３１ｃ…突出側内面、３１ｄ…非突出側内面、３１ｆ…周縁部内面、３１Ａ…第１基材、３１Ｂ…第２基材、３２…電気モータ、３３…板部材、３３ａ…突出側表面、３３ｂ…非突出側表面、３４…カバー部材、４１…突出部、４１ａ…傾斜面、４１ｂ…平面、４２…陥没部、Ｄ１〜Ｄ３…間隔。
【図１】
2012128283.tif 000003
【図２】
2012128283.tif 000004
【図３】
2012128283.tif 000005
【図４】
2012128283.tif 000006
【図５】
2012128283.tif 000007
【図６】
2012128283.tif 000008
【図７】
2012128283.tif 000009
【図８】
2012128283.tif 000010
【図９】
2012128283.tif 000011
【図１０】
2012128283.tif 000012
【図１１】
2012128283.tif 000013